(57)【特許請求の範囲】
【請求項１】
放送番組情報を含んだ放送番組を受信することができるチューナと、
該チューナで受信した放送番組情報をデコードすることができるＥＰＧデコーダと、
該デコードされたＥＰＧデータから記録する放送番組の情報を登録する記録管理登録手段を備えたコントローラと、
前記記録管理登録手段に登録されている放送番組を記録するように制御する記録制御部とからなり、
前記コントローラは、現在の時刻と前記ＥＰＧデータに含まれている放送番組のなかから指定した放送番組が開始する開始時刻とを比較し、その比較した時刻が一致したとき又は該指定した放送番組が開始する開始時刻の直後に、新たに記録する放送番組の情報を前記記録管理登録手段に登録し、該記録管理登録手段に登録された放送番組を記録すること
を特徴とするＥＰＧを利用した放送番組記録制御装置。
【請求項２】
前記ＥＰＧデコーダは、外部から放送番組情報を直接入力できるようにした請求項１に記載のＥＰＧを利用した放送番組記録制御装置。
【請求項３】
前記現在の時刻は、外部から取り入れた時刻情報により作成されている請求項１に記載のＥＰＧを利用した放送番組記録装置。
【請求項４】
放送番組情報を含んだ放送番組を受信することができるチューナと、
該チューナで受信した放送番組情報をデコードすることができるＥＰＧデコーダと、
該デコードされたＥＰＧデータから記録する放送番組の情報を登録する記録管理登録手段を備えたコントローラと、
前記記録管理登録手段に登録されている放送番組を記録するように制御する記録制御部と、
を備え、
前記コントローラは、現在の時刻と前記ＥＰＧデータに含まれている放送番組のなかから指定した放送番組が開始する開始時刻とを比較し、その比較した時刻が一致したとき又は該指定した放送番組が開始する開始時刻の直後に、新たに記録する放送番組の情報を前記記録管理登録手段に登録し、該記録管理登録手段に登録された放送番組を記録すること
を特徴とする放送番組記録制御方法。
【請求項５】
前記ＥＰＧデコーダは、外部から放送番組情報を直接入力できるようにしたことを特徴とする請求項４に記載の放送番組記録制御方法。
【請求項６】
前記現在の時刻は、外部から取り入れた時刻情報により作成されていることを特徴とする請求項４に記載の放送番組記録制御方法。
【発明の詳細な説明】
【０００１】
【発明の属する技術分野】
本発明は、ＥＰＧ（Ｅｌｅｃｔｒｉｃ  Ｐｒｏｇｒａｍ  Ｇｕｉｄｅ）を利用した放送番組記録制御装置及び放送番組記録制御方法に関するものであり、詳しくは記録している放送番組が切り替わる時を検出して新たな放送番組の登録ができるようにした放送番組記録制御装置に関するものである。
【０００２】
【従来の技術】
従来において、衛星デジタル放送、ＦＭ多重放送、インターネット等のような多数の放送番組が提供されるメデイアにおいては、放送番組選択の利便性を高めるためにＥＰＧが導入されている。例えば、衛星デジタル放送においては、伝送されるチャンネル番号、番組名、スケジュール等の放送番組情報を受信機内のＥＰＧデコーダによりデコードし、ＥＰＧデータをテレビモニタにオンスクリーン表示する。このオンスクリーン表示された放送番組の中から選択して記録管理登録手段に登録して記録管理することができる。この記録管理登録手段に登録する新たな放送番組の情報はリモコン等で指示することによって記録登録できるようになっている。
【０００３】
【発明が解決しようとする課題】
しかしながら、従来技術で説明したように、記録管理登録手段に新たな放送番組の情報を登録するには録画を開始することができる時であり、例えば録画中に新たな放送番組の情報を登録しようとしても、記録管理登録手段に登録することができず、又、後の検索もできないという問題がある。
【０００４】
従って、放送番組が録画中であっても記録管理登録手段に新たな放送番組の情報が登録できるようにすることに解決しなければならない課題を有している。
【０００５】
【課題を解決するための手段】
上記課題を解決するために、本発明に係るＥＰＧを利用した放送番組記録制御装置は、放送番組情報を含んだ放送番組を受信することができるチューナと、該チューナで受信した放送番組情報をデコードすることができるＥＰＧデコーダと、該デコードされたＥＰＧデータから記録する放送番組の情報を登録する記録管理登録手段を備えたコントローラと、前記記録管理登録手段に登録されている放送番組を記録するように制御する記録制御部とからなり、前記コントローラは、現在の時刻と前記ＥＰＧデータに含まれている放送番組のなかから指定した放送番組が開始する開始時刻とを比較し、その比較した時刻が一致したとき又は該指定した放送番組が開始する開始時刻の直後に、新たに記録する放送番組の情報を前記記録管理登録手段に登録し、該記録管理登録手段に登録された放送番組を記録することである。
【０００６】
又、前記ＥＰＧデコーダは、外部から放送番組情報を直接入力できるようにしたこと；前記現在の時刻は、外部から取り入れた時刻情報により作成されていることである。
更に、放送番組記録制御方法は、放送番組情報を含んだ放送番組を受信することができるチューナと、該チューナで受信した放送番組情報をデコードすることができるＥＰＧデコーダと、該デコードされたＥＰＧデータから記録する放送番組の情報を登録する記録管理登録手段を備えたコントローラと、前記記録管理登録手段に登録されている放送番組を記録するように制御する記録制御部と、を備え、前記コントローラは、現在の時刻と前記ＥＰＧデータに含まれている放送番組のなかから指定した放送番組が開始する開始時刻とを比較し、その比較した時刻が一致したとき又は該指定した放送番組が開始する開始時刻の直後に、新たに記録する放送番組の情報を前記記録管理登録手段に登録し、該記録管理登録手段に登録された放送番組を記録することである。
【０００７】
このように、放送番組が切り替わる時に新たな放送番組の情報を登録できるようにしたことにより、ユーザが特別な動作をすることなく新しい放送番組の情報を登録することができ、操作性を向上させることができる。
【０００８】
【発明の実施の形態】
次に、本発明に係る放送番組記録制御方法を具現化できるためのＥＰＧを利用した放送番組記録制御装置の種々の実施の形態について図面を参照して説明する。
【０００９】
第一の実施例のＥＰＧを利用した放送番組記録装置は、図１に示すように、放送番組情報を含む放送番組を受信することができるチューナ、即ち、チューナ部１１と、該チューナ部１１で受信された放送番組の内、放送番組情報をデコードすることができるデコーダ、即ち、ＥＰＧデコーダ部１２と、現在の時刻を出力することができるインターナルクロック部１３と、デコードされたＥＰＧデータから録画する放送番組の情報を登録する記録管理登録手段を備えたコントローラ１４と、記録管理登録手段に登録されている放送番組を録画等の記録するように制御する記録制御部である記録部１５とから構成されている。
【００１０】
このような構成において、ＥＰＧデコーダ部１２は放送番組情報をデコードしてＥＰＧデータを作成する。このＥＰＧデータには、現在の時刻、受信チャンネル、放送局名、放送時刻、この放送時刻に放送される放送番組の番組タイトルとから大略構成されている。又、このＥＰＧデータは、放送する時刻と番組タイトルとの関連性を持たせた状態に編集してあるテキストデータでもよい。
【００１１】
コントローラ１４は、図２に示すように、先ず、記録動作（実施例において「０６：００  ＡＢＣＤ」）を行っている時において、ＥＰＧデータをオンスクリーン表示させる。そして、所望の放送時刻及び番組タイトル（実施例において「０７：００  ＥＦＧＨ」）を指定する（ステップＳＴ１１）。
【００１２】
この状態において、ＥＰＧの放送番組情報の中から、比較すべき放送番組開始時刻（実施例において「０７：００」）を抽出し、現在の時刻と比較する（ステップＳＴ１２）。この比較は、時刻との一致、又は放送時刻の直後になった時を一致としてもよい。もし一致した場合には、記録管理登録手段に新たな放送番組として登録する（実施例において「０７：００  ＥＦＧＨ」）（ステップＳＴ１３）。
【００１３】
この記録管理登録手段に登録された番組は自動的に録画される。このようにすることによって、膨大な放送番組の中から所望の放送番組を自動的に抽出しては指定すると、その指定された放送番組は記録管理登録手段に登録され、且つ自動的に録画することができる。このように、所定の放送番組の情報を登録した後に行う新たな記録操作を行う必要がない。従って、放送番組の選択するための操作性を向上させることができる。
【００１４】
第二の実施例のＥＰＧを利用した放送番組記録制御装置は、図３に示すように、放送番組情報を外部のインターネット等から取り入れるようにしたものであり、放送番組を受信することができるチューナ部１１ａと、インターネット等を利用して放送番組情報を直接入力してデコードすることができるＥＰＧデコーダ部１２ａと、現在の時刻を出力することができるインターナルクロック部１３と、デコードされたＥＰＧデータから録画する放送番組の情報を登録する記録管理登録手段を備えたコントローラ１４と、記録管理登録手段に基づいて放送番組を録画等の記録するように制御する記録制御部である記録部１５とから構成されている。
【００１５】
このような構成において、ＥＰＧデコーダ部１２ａは、インターネット等を介して直接に放送番組情報を入力し、デコードしてＥＰＧデータを作成する。そして、第一の実施例で説明したことと同様にＥＰＧデータの放送開始時刻と現在の時刻とを比較して、時刻が一致、又はその直後であれば一致と見做して、予め指定してある新たな放送番組の情報を記録管理登録手段に登録する。
【００１６】
第三の実施例のＥＰＧを利用した放送番組記録制御装置は、図４に示すように、ＥＰＧデータをインターネット等から取り入れるようにすると共に現時刻情報も外部から入力するようにしたものであり、放送番組を受信することができるチューナ部１１と、インターネット等を利用して放送番組情報を取り込んでデコードすることができるＥＰＧデコーダ部１２と、デコードされたＥＰＧデータから録画する放送番組の情報を登録する記録管理登録手段を備えたコントローラ１４と、記録管理登録手段に基づいて放送番組を記録するように制御する記録制御部である記録部１５とから構成されている。
【００１７】
このような構成において、ＥＰＧデコーダ部１２ａは、インターネット等から得られた放送番組情報をデコードしてＥＰＧデータを作成する。そして、第一の実施例で説明したことと同様にＥＰＧデータの放送番組開始時刻と外部から得られた現在の時刻とを比較して、時刻が一致、又はその直後であれば一致と見做して記録管理登録手段に予め指定してある新たな放送番組を登録する。
【００１８】
第四の実施例のＥＰＧを利用した放送番組記録制御装置は、図５に示すように、放送番組情報を含んだ放送番組を受信することができる外部チューナと記録をする記録装置を分離した構成となっている。即ち、外部チューナ部は、放送番組情報を含む放送番組を受信することができるチューナ部１１と、このチューナ部１１で取り込んだ放送番組情報をデコードするＥＰＧデコーダ部１２とから構成されている。又、記録装置は、ＥＰＧデコーダ部１２で作成されたＥＰＧデータから録画する放送番組の情報を登録する記録管理登録手段を備えたコントローラ１４と、現在の時刻を出力するインターナルクロック部１３と、記録管理登録手段に基づいて放送番組を録画等の記録するように制御する記録制御部である記録部１５とから構成されている。
【００１９】
このような構成において、第一の実施例で説明したことと同様にＥＰＧデータの放送番組開始時刻と現在の時刻とを比較して、時刻が一致、又はその直後であれば一致と見做して記録管理登録手段に予め指定してある新たな放送番組の情報を登録する。
【００２０】
【発明の効果】
以上説明したように、本発明に係る放送番組記録制御方法を具現化できるためのＥＰＧを利用した放送番組記録制御装置は、現在の時刻とＥＰＧデータに含まれている放送番組開始時刻とを比較し、その比較した時刻が一致したとき又は放送番組開始時刻の直後に、新たに記録する放送番組の情報を記録管理登録手段に登録し、この記録管理登録手段に登録された放送番組を記録するようにしたことにより、所定の放送番組の情報を記録した後に行う新たな記録操作を行う必要がなくなるため、ユーザの記録操作の操作性を向上させることができるという効果がある。
【図面の簡単な説明】
【図１】  本発明に係る第一の実施例のＥＰＧを利用した放送番組記録制御装置のブロック図である。
【図２】  同記録装置を構成するコントローラの一部の動作を示したフローチャートである。
【図３】  本発明に係る第二の実施例のＥＰＧを利用した放送番組記録制御装置のブロック図である。
【図４】  本発明に係る第三の実施例のＥＰＧを利用した放送番組記録制御装置のブロック図である。
【図５】  本発明に係る第四の実施例のＥＰＧを利用した放送番組記録制御装置のブロック図である。
【符号の説明】
１１；チューナ部、１１ａ；チューナ部、１２；ＥＰＧデコーダ部、１２ａ；ＥＰＧデコーダ部、１３；インターナルクロック部、１４；コントローラ、１４ａ；コントローラ、１４ｂ；コントローラ、１５；オンスクリーンディスプレイ部
【図１】
0004310846.tif 000002
【図２】
0004310846.tif 000003
【図３】
0004310846.tif 000004
【図４】
0004310846.tif 000005
【図５】
0004310846.tif 000006